(57)【要約】      （修正有）【課題】鏡に用いた際にモアレの発生を防止すると共に、隣の人の視線が気になることを防止する光学シートを提供する。【解決手段】鏡に用いられる光学シートであって、透光性を有する基材層と、基材層の一方の面に積層され、基材層の層面に沿って配列される複数の光透過部１４、及び、隣り合う光透過部間に配列される複数の間部１５を有する光学機能層１２と、基材層又は光学機能層１２の面に配置されることにより表層に位置づけられ、光を反射させる反射層１３と、を備える。【選択図】図３
2017027000.tif 000002
【特許請求の範囲】
【請求項１】
鏡に用いられる光学シートであって、
透光性を有する基材層と、
前記基材層の一方の面に積層され、前記基材層の層面に沿った方向に配列される複数の光透過部、及び、隣り合う前記光透過部間に配列される間部を有する光学機能層と、
前記基材層又は前記光学機能層の面に配置されることにより表層に位置づけられ、光を反射させる反射層と、
を備える光学シート。
【請求項２】
前記間部は光吸収部である、請求項１に記載の光学シート。
【請求項３】
前記間部は光拡散部である、請求項１に記載の光学シート。
【請求項４】
ガラスと、前記ガラスの一方の面に積層された請求項１〜３のいずれかに記載の光学シートと、を備える鏡。
【発明の詳細な説明】
【技術分野】
【０００１】
本発明は、鏡に用いられる光学シート、及び光学シートを備える鏡に関する。
【背景技術】
【０００２】
パソコンのディスプレイやＡＴＭのディスプレイなどの表示装置には、いわゆる覗き見防止の機能を備えた光学シートが配置されている。
例えば特許文献1には、複数の光透過部と複数の光吸収部とを具備する光学機能層を備える光学シートが開示されている。このような光学シートでは、光透過部と光吸収部とが交互に配列されており、これを映像源の観察者側に配置することで、視野角を制御し、覗き見防止の効果を得ることができる。
【先行技術文献】
【特許文献】
【０００３】
【特許文献１】特開２０１４−５６０８０号公報
【発明の概要】
【発明が解決しようとする課題】
【０００４】
ここで、このような光学シートを化粧室等の鏡に配置して、隣の人の視線が気になることを防止できると考えられる。
しかしながら、このような光学シートを鏡の観察者側面に配置すると、干渉縞（モアレ）が発生することがあった。
【０００５】
そこで本発明は上記問題点に鑑み、鏡に用いた際にもモアレの発生を防止することができる光学シートを提供することを課題とする。また、この光学シートを備える鏡を提供する。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１に記載の発明は、鏡に用いられる光学シート（１０、１０’、１００、１００’）であって、透光性を有する基材層（１１）と、基材層の一方の面に積層され、基材層の層面に沿った方向に配列される複数の光透過部（１４）、及び、隣り合う光透過部間に配列される間部（１５、２５）を有する光学機能層（１２、２５）と、基材層又は光学機能層の面に配置されることにより表層に位置づけられ、光を反射させる反射層（１３）と、を備える光学シートである。
【０００８】
請求項２に記載の発明は、請求項１に記載の光学シートにおいて、間部は光吸収部である。
【０００９】
請求項３に記載の発明は、請求項1に記載の光学シートにおいて、間部は光拡散部である。
【００１０】
請求項４に記載の発明は、ガラス（３０）と、ガラスの一方の面に積層された請求項１〜３のいずれかに記載の光学シート（１０）と、を備える鏡（１、１’、１’’、１’’’）である。
【発明の効果】
【００１１】
本発明によれば、隣の人の視線が気になることを防止すると共に、鏡に発生するモアレを防止することもできる。
【図面の簡単な説明】
【００１２】
【図１】鏡１の外観斜視図である。
【図２】図1にＩＩ−ＩＩで示した線（水平方向となる線）を含む厚さ方向断面図であり、光学シート１０を説明するための図である。
【図３】光学シート１０における光学機能層１２、反射層１３に注目して拡大した図であり、光路例を説明するための断面図である。
【図４】光学シート１０’を説明するための断面図である。
【図５】光学シート１０’における光学機能層１２、基材層１１、反射層１３を拡大した図であり、光路例を説明するための断面図である。
【図６】光学シート１００を説明するための断面図である。
【図７】光学シート１００における光学機能層２２、反射層１３を拡大した図であり、光路例を説明するための断面図である。
【図８】光学シート１００’を説明するための断面図である。
【図９】光学シート１００’における光学機能層２２、反射層１３を拡大した図であり、光路例を説明するための断面図である。
【発明を実施するための形態】
【００１３】
以下本発明を図面に示す形態に基づき説明する。ただし本発明は当該形態に限定されるものではない。ここで、本発明に具備される要素は実際には非常に微細、薄層のものが多いことから、分かりやすさのため各図ではその一部を変形、拡大等して表している。また要素には符号を付してあるが、見易さのため繰り返しとなる符号は一部を省略することがある。
【００１４】
図１は第一の形態を説明する図で、光学シート１０を備える鏡１を表した斜視図である。図１では紙面右が観察者側である。本形態の鏡１は光学シート１０とガラス３０を備える。
【００１５】
図２は図1にＩＩ−ＩＩで示した線（水平方向となる線）を含む厚さ方向断面図である。図２では、紙面右が観察者側である。本形態で光学シート１０は、ガラス３０のうち、観察者側とは反対側に配置される光学シートであり、複数の層からなる。本形態では、光学シート１０は、ガラス３０側から、基材層１１、光学機能層１２、及び反射層１３を備えている。以下に各層について説明する。
【００１６】
基材層１１は、その一方の面に光学機能層１２を形成する基材となる層である。基材層１１は、透光性を有するとともに光学機能層１２の変形を防止できるように支持する。かかる観点から、基材層１１を構成する材料の具体例として例えば、ポリエチレンテレフタレート（ＰＥＴ）、トリアセチルセルロース（ＴＡＣ）、アクリロニトリル、ポリカーボネートを主成分とする透明樹脂を挙げることができる。この中でも他の層との組み合わせを考慮して複屈折の少ないＴＡＣ、アクリロニトリル、ポリカーボネートを用いることが好ましい。
【００１７】
光学機能層１２は、基材層１１の一方の面に積層されるように形成され、観察者側からの光を反射層１３側に送るとともに、反射層１３で反射した光の向きを変えて再度観察者側に出射する。さらに、この形態では、光学機能層１２は、所定の光を吸収する機能を有する。光学機能層１２は図２に示した断面において、光透過部１４及び間部として機能する光吸収部１５をそれぞれ複数備える。光透過部及び光吸収部は、基材層１１の面に沿って（本形態では鉛直方向）当該断面を維持して一方向に延びるとともに、当該延びる方向とは異なる方向（本形態では水平方向）に交互に配列されている。図３には光学機能層１２、反射層１３の一部を拡大して２つの光吸収部１５とこれに隣接する光透過部１４を示した。図３においても、紙面右が観察者側である。
【００１８】
光透過部１４は光を透過させることを主要の機能とする部位であり、本形態では、図２、図３に表れる断面において、基材層１１側（観察者側）に長い下底、それとは反対側（反射層１３側）に短い上底を有する等脚台形である。光透過部１４は、基材層１１の層面に沿った方向に当該断面を維持して一方向に延びる（本形態では鉛直方向）とともに、この延びる方向とは異なる方向（本形態では水平方向）に所定の間隔で配列される。そして、隣り合う光透過部１４の間には、台形断面を有する間隔が形成されている。従って、当該間隔は光透過部１４の上底側に長い下底を有し、光透過部１４の下底側に短い上底を有する等脚台形断面を有し、ここに必要な材料が充填されることにより光吸収部１５が形成される。なお、本形態では隣り合う光透過部１４は長い下底側（基材層１１側）で連結部１６により連結されている。
【００１９】
光透過部１４は屈折率がＮｔとされている。このような光透過部１４は、透過部構成組成物を硬化させることにより形成することができる。屈折率Ｎｔの値は特に限定されることはないが、後述するように台形断面の斜面における光吸収部１５との界面で適切に光を全反射する観点から、屈折率は１．５５以上であることが好ましく、また、屈折率が高すぎる材料は割れやすい場合が多いので、１．６１以下であることが好ましい。より好ましくは、１．５６である。
【００２０】
ここで、光透過部を構成する組成物としては、例えば、エポキシアクリレート系、ウレタンアクリレート系、ポリエーテルアクリレート系、ポリエステルアクリレート系、ポリチオール系等の紫外線等の電離放射線硬化型の樹脂を挙げることができる。
【００２１】
光吸収部１５は隣り合う光透過部１４の間に形成された上記した間隔に配置されて間部として機能する部位であり、当該間隔の断面形状と同様の断面形状となる。従って本形態では短い上底がガラス３０側（観察者側）を向き、長い下底がその反対側（反射層１３側）を向く等脚台形となる。そして光吸収部１５は、屈折率がＮｒとされるとともに、光を吸収することができるように構成されている。具体的には屈折率がＮｒであるバインダーに光吸収粒子が分散される。屈折率Ｎｒは、光透過部１４の屈折率Ｎｔよりも低い屈折率とされることが好ましい。屈折率Ｎｒの値は特に限定されることはないが、１．５０以下であることが好ましく、材料の入手容易性の観点から１．４７以上が好ましい。より好ましくは、１．４９である。
【００２２】
光透過部１４の屈折率Ｎｔと光吸収部１５の屈折率Ｎｒとの屈折率の差は特に限定されることはないが、０．０１以下が好ましい。より好ましくは０．００である。屈折率差による反射があると、二重像が出やすくなるためである。
【００２３】
ここでバインダーとして用いられる材料は特に限定されないが、例えば、ウレタン（メタ）アクリレート、ポリエステル（メタ）アクリレート、エポキシ（メタ）アクリレート、およびブタジエン（メタ）アクリレート等の光硬化型樹脂を挙げることができる。
【００２４】
また、光吸収粒子はカーボンブラック等の光吸収性の着色粒子が好ましく用いられる。具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましく用いられる。着色粒子の平均粒子径は０．０１μｍ以上２０μｍ以下であることが好ましい。
【００２５】
光学機能層１２では、特に限定されることはないが、例えば次のように光透過部１４及び光吸収部１５が形成される。すなわち、図２にＰｋで表した光透過部１４及び光吸収部１５のピッチは３０μｍ以上１００μｍ以下であることが好ましい。また、図３にθｋで示した光吸収部１５と光透過部１４との斜辺（脚部）における界面と、光学機能層１２の層面の法線と、の成す角は０°以上１０°以下であることが好ましい。そして図２にＤｋで示した光吸収部１５の厚さは６０μｍ以上１５０μｍ以下であることが好ましい。これらの範囲内とすることにより、光の透過と光の吸収とのバランスが適切になることが多い。
【００２６】
本形態では光透過部１４と光吸収部１５との界面（脚部）が断面において一直線状となる例を示したが、これに限らず折れ線状、凸である曲面状、凹である曲面状等であってもよい。また、複数の光透過部１４及び光吸収部１５で断面形状が同じであってもよいし、所定の規則性を有して異なる断面形状であってもよい。また、本形態では光透過部１４と光吸収部１５の断面が等脚台形である例を示したが、等脚台形でなく、脚部の傾斜角が一方と他方で異なっていてもよい。これにより、光に指向性をもたせることができる。
【００２７】
反射層１３は、基材層又は光学機能層の面に配置されることにより光学シートの表層に位置し、観察者側から入射してガラス３０、基材層１１、光学機能層１２を透過した光を反射させるための層であり、従来の鏡に使用されている金属の層を用いることができる。これには例えば析出による銀の薄層や蒸着によるアルミニウムの薄層等が挙げられる。本形態では、反射層１３は光学機能層１２の面に配置されている。
【００２８】
ガラス３０は、従来の鏡に使用されている公知のガラスを用いることができる。
【００２９】
上記光学シート１０を含む鏡１は、例えば次のように作製される。
はじめに基材層１１の一方の面に光透過部１４を形成する。これは、光透過部１４の形状が転写できる形状を表面に有する金型ロールと、これに対向するように配置されたニップロールとの間に、基材層１１となる基材シートを挿入する。そして、基材シートと金型ロールとの間に光透過部１４を構成する組成物を供給しながら金型ロール及びニップロールを回転させる。これにより金型ロールの表面に形成された光透過部１４に対応する溝（光透過部形状を反転した形状）に光透過部１４を構成する組成物が充填され、該組成物が金型ロールの表面形状に沿ったものとなる。
【００３０】
金型ロールと基材シートとの間に挟まれ、ここに充填された光透過部１４を構成する組成物に対し、基材シート側から光照射装置により硬化させるための光を照射する。これにより、組成物を硬化させ、その形状を固定させることができる。そして、離型ロールにより金型ロールから基材層１１および成形された光透過部１４を離型する。
【００３１】
次に、光吸収部１５を形成する。光吸収部１５を形成するには、まず、上記形成した光透過部１４間の間隔に光吸収部１５を構成する組成物を充填する。その後、余剰分の当該組成物をドクターブレード等で掻き落とす。そして、残った組成物に光透過部１４側から紫外線を照射することによって硬化させ光吸収部１５を形成する。上記した光透過部１４と光吸収部１５により、光学機能層１２が形成される。
【００３２】
次に、反射層１３を形成する。反射層１３は、上記形成された光学機能層１２のうち基材層１１が積層された側とは反対側の面に、例えばアルミ蒸着を施すことで形成され、光学シート１０となる。そして、このように作製された光学シート１０をガラス３０に粘着剤を用いて貼り付けることで、鏡１となる。
【００３３】
以上のような、光学シート１０及びこれを備える鏡１は次のように作用する。図３に模式的な光路例を示した。なお当該光路例は概念的に示したものであり、屈折、反射の程度等を厳密に表したものではない。以下同様である。
【００３４】
観察者側から入射した光Ｌ１は、光吸収部１５に達することなくガラス３０、基材層１１、光学機能層１２、を透過し反射層１３で反射する。反射した光Ｌ１は光吸収部１５に達することなく、再度光学機能層１２、基材層１１、ガラス３０を透過して観察者側に出射される。
観察者側から入射した光Ｌ２は、ガラス３０、基材層１１を透過して光学機能層１２の光透過部１４と光吸収部１５との界面に達する。界面に達した光Ｌ２は、ＮｔとＮｒの屈折率差が０に近いため全反射することなく光吸収部１５で吸収される。このように光吸収部１５で吸収されることにより、光Ｌ２が図３に破線の矢印で示したように、反射層１３で反射し、観察者からはずれた場所に出射することを防ぐことができる。すなわち、これにより、隣の人側からの光、隣の人への光を遮断することができ、観察者は隣の人の視線を気にすることがなくなる。
このように、光学機能層１２によれば、光Ｌ２は正面からはずれた位置には提供されなくなるので、斜め方向から鏡を見たときに観察者の像を見ることができず、正面からはずれた位置の観察者の視線を気にすることを防止できる。
【００３５】
以上のように、光学シート１０のうち、光学機能層１２により、反射光の正面輝度の向上及び視野角の制限を図ることができる。
【００３６】
一方、光学機能層１２にはこのような効果があるが、光透過部１４と光吸収部１５とが交互に配置される縞模様を形成しているので、鏡の前面に配置すると、光学機能層１２、基材層１１、及びガラス３０の厚みを経て、反射層１３で反射した光の影が干渉し、モアレが発生することがあった。
これに対して本発明によれば、上記のようにガラス３０を観察者側に配置し、光学シート３０をその反対側に設置して、光学機能層１２の裏面に反射層１３を設けることにより、モアレの発生を防止することができる。
【００３７】
図４は第二の形態を説明する図で、光学機能層１２を備える光学シート１０’を備える鏡１’の厚さ方向断面図である。図４は図２に対応している。鏡１’は、光学シート１０’とガラス３０を備える。ガラス３０については、上記した鏡１と同様なので説明を省略する。
【００３８】
第二の形態では、光学シート１０’は、ガラス３０側から、光学機能層１２、基材層１１、及び反射層１３を備えている。また、本形態では、光学機能層１２は、光透過部１４が図４に表れる断面において、ガラス３０側に短い上底、それとは反対側（基材層１１、反射層１３側）に長い下底を有するように配置されている。つまり、光学シート１０’は、光学機能層１２、基材層１１、及び反射層１３自体については、上記した光学シート１０と同様であるが、各層の配置の順序と、光学機能層１２の配置の向きが第一の形態と異なる。すなわち、基材層１１と光学機能層１２を光学シート１０の形態に対して反転した形態である。
【００３９】
光学シート１０’及びこれを備えた鏡１’は、以下のように作用する。図５に模式的な光路例を示した。図５は図３に対応する。
【００４０】
観察者側から入射した光Ｌ３は、光吸収部１５に達することなくガラス３０、光学機能層１２、基材層１１を透過し反射層１３で反射する。反射した光Ｌ３は光吸収部１５に達することなく、再度基材層１１、光学機能層１２、ガラス３０を透過して観察者側に出射される。
観察者側から入射した光Ｌ４は、ガラス３０を透過して光学機能層１２の光透過部１４と光吸収部１５との界面に達する。界面に達した光Ｌ４は、ＮｔとＮｒの屈折率差が０に近いため全反射することなく光吸収部１５で吸収される。光Ｌ４が光吸収部１５で吸収されることにより、図５に破線の矢印で示したように、光Ｌ４が反射層１３で反射し、観察者からはずれた場所に出射することを防ぐことができる。これにより、隣の人側からの光、隣の人への光を遮断することができ、観察者は、隣の人の視線を気にすることがなくなる。
このように、光学シート１０’においても、Ｌ４は光吸収部１５により吸収され、正面からはずれた位置には光が提供されなくなるので、斜め方向から鏡を見たときに像を見ることができず、正面からはずれた位置の観察者の視線を気にすることを防止できる。
【００４１】
以上のように、光学シート１０’を備える鏡１’によっても、上記した鏡１と同様の効果を奏するものとなる。
【００４２】
図６は第三の形態を説明する図で、光学機能層２２を具備する光学シート１００を備える鏡１’’の厚さ方向断面図である。図６は図２、図４に相当する。鏡１’’は、光学シート１００とガラス３０を備える。本形態では、光学シート１００は、ガラス３０側から、基材層１１、光学機能層２２、及び反射層１３を備えている。ガラス３０、基材層１１、および反射層１３については、上記した鏡１、１’と同様なので説明を省略する。以下に光学機能層２２について説明する。
【００４３】
光学機能層２２は、上記した光学機能層１２と同様に、基材層１１の一方の面に積層されるように形成され、観察者側からの光を反射層１３側に送るとともに、反射層１３で反射した光の向きを変えて再度観察者側に出射する。さらに、光学機能層２２は、光を拡散する機能を有する。光学機能層２２は、上記した光学機能層１２における光吸収部１５に代わり、間部として光拡散部２５を備える。すなわち、本形態における光学機能層２２は、図６に示した断面において、光透過部１４と、光吸収部１５に代わり光拡散部２５とをそれぞれ複数備える。光透過部１４及び光拡散部２５は、基材層の面に沿って（本形態では鉛直方向）当該断面を維持して一方向に延びるとともに、当該延びる方向とは異なる方向（本形態では水平方向）に交互に配列されている。
【００４４】
光拡散部２５は入射した光を拡散させる機能を有する。光拡散部２５としては、バインダーとなる材料に顔料や粒子を分散させることができる。
顔料は隠蔽性のあるものが好ましく、例えば白色顔料が挙げられる。白色顔料としては、例えば、酸化チタン、二酸化チタン、酸化マグネシウム、酸化亜鉛などの金属酸化物が挙げられる。
光拡散部２５は、上記した光吸収部１５と同様に、光透過部１４の間に形成された上記した間隔に配置されて間部として機能する部位であり、当該間隔の断面形状と同様の断面形状となる。従って本形態では短い上底がガラス３０側（観察者側）を向き、長い下底がその反対側（反射層１３側）を向く等脚台形となる。そして光拡散部２５は、屈折率がＮｓとされるとともに、光を拡散することができるように構成されている。具体的には屈折率がＮｓであるバインダーに光吸収粒子が分散される。屈折率Ｎｓは、光透過部１４の屈折率Ｎｔよりも低い屈折率とされることが好ましい。屈折率Ｎｓの値は特に限定されることはないが、１．５０以下であることが好ましく、材料の入手容易性の観点から１．４７以上が好ましい。より好ましくは、１．４９である。
【００４５】
光透過部１４の屈折率Ｎｔと光拡散部２５の屈折率Ｎｓとの屈折率の差は特に限定されることはないが、０．０１以下が好ましい。より好ましくは０．００である。屈折率差による反射があると、二重像が出やすくなるためである。
【００４６】
光学シート１００、及びこれを備えた鏡１’’は次のように作用する。図７に模式的な光路図を示した。図７は図３、図５に相当する。
【００４７】
観察者側から入射した光Ｌ５は、光拡散部２５に達することなくガラス３０、光学機能層２２、基材層１１を透過し反射層１３で反射する。反射した光Ｌ５は光拡散部２５に達することなく、再度基材層１１、光学機能層２２、ガラス３０を透過して観察者側に出射される。
観察者側から入射した光Ｌ６は、ガラス３０、基材層１１を透過して光学機能層２２の光透過部１４と光拡散部２５との界面に達する。界面に達した光Ｌ６は、ＮｔとＮｓの屈折率差が０に近いため全反射することなく光拡散部２５内に進み、拡散される。これにより、光が反射層１３で反射し観察者からはずれた場所に出射しても、拡散しているため像が明確でなくなる。そのため、隣の人には観察者の像がはっきりとは見えない。また、拡散した光の一部は反射層に達しなくなり、隣の人に届かない。よって、観察者は隣の人の視線を気にすることがなくなる。
このように、光学シート１００においても、Ｌ６は光拡散部２５により拡散され、像は明確でなくなる。これにより、斜め方向から鏡を見た時にはっきりと像を見ることができず、正面からはずれた位置の観察者の視線を気にすることを防止できる。
【００４８】
図８は第四の形態を説明する図で、光学機能層２２を備える光学シート１００’を備える鏡１’’’の厚さ方向断面図である。図８は図２、図４に相当する。鏡１’’’は、光学シート１００’とガラス３０を備える。ガラス３０については、上記した鏡１、１’と同様なので説明を省略する。
【００４９】
第四の形態では、光学シート１００’は、ガラス３０側から、光学機能層２２、基材層１１、及び反射層１３を備えている。また、本形態では、光学機能層２２は、光透過部１４が図８に表れる断面において、ガラス３０側に短い上底、それとは反対側（基材層１１、反射層１３側）に長い下底を有するように配置されている。つまり、光学シート１００’は、光学機能層２２、基材層１１、及び反射層１３自体については、上記した光学シート１００と同様であるが、各層の配置の順序と、光学機能層２２の配置の向きが第三の形態と異なる。すなわち、基材層１１と光学機能層２２を光学シート１００の形態に対して反転した形態である。
【００５０】
光学シート１００’及びこれを備えた鏡１’’’は、以下のように作用する。図９に模式的な光路図を示した。図９は、図３、図５に相当する。
【００５１】
観察者側から入射した光Ｌ７は、光拡散部２５に達することなくガラス３０、光学機能層２２、基材層１１を透過し反射層１３で反射する。反射した光Ｌ７は光拡散部２５に達することなく、再度基材層１１、光学機能層２２、ガラス３０を透過して観察者側に出射される。
観察者側から入射した光Ｌ８は、ガラス３０を透過して光学機能層２２の光透過部１４と光拡散部２５との界面に達する。界面に達した光Ｌ８は、ＮｔとＮｓの屈折率差が０に近いため全反射することなく光拡散部２５内に進み、拡散される。これにより、光が反射層１３で反射し観察者からはずれた場所に出射しても、拡散しているため像が明確でなくなる。そのため、隣の人には観察者の像がはっきりとは見えない。また、拡散した光の一部は反射層に達しなくなり、隣の人まで届かない。よって、観察者は隣の人の視線を気にすることがなくなる。
このように、光学シート１００’においても、Ｌ８は光拡散部２５により拡散され、像は明確でなくなる。これにより、斜め方向から鏡を見た時にはっきりと像を見ることができず、正面からはずれた位置の観察者の視線を気にすることを防止できる。
【実施例】
【００５２】
（実施例１）
実施例１では図２に示した断面形状を有する光学シートを備える鏡を作製した。具体的には次の通りである。
基材層として厚さ５０μｍのＰＥＴを成型し、基材層の片面に光学機能層を作製した。光透過部は、屈折率１．５５の紫外線硬化型ウレタンアクリレートで成型した。形状は光透過部の断面を等脚台形とし、ピッチ（図２のＰｋ）を６０μｍ、上底を３０μｍ、下底を５６μｍ、高さ（図２のＤｋ）を１５０μｍ、連結部の厚み（図２のＬｋ）を１０μｍとした。光吸収部は、屈折率１．５５の紫外線硬化型ウレタンアクリレートに、カーボンブラックを含有したアクリルビーズを２５質量％含有させ、形成された光透過部の上からワイピングにより作製した。形状は光吸収部の断面を等脚台形とし、上底を４μｍ、下底を３０μｍ、高さ（図２のＤｋ）を１５０μｍとした。
基材層の、光学機能層が形成されている面とは反対側に、ガラスを貼り付けた。
反射層として、光吸収部の成形面にアルミ蒸着を施した。
【００５３】
（実施例２）
実施例２では、図４に示した断面形状を有する光学機能層を備える光学シートを備える鏡を作製した。実施例２では、ガラスの片面と基材層との間に、光学機能層を実施例１とは反転させた向きで配置した。また、基材層の、光学機能層が形成されている側とは反対側にアルミ蒸着を施した。それ以外は実施例１と同じである。
【００５４】
（比較例１）
比較例１では、光吸収部の成形面にアルミ蒸着を施さず、市販の板厚５ｍｍの鏡前面に、厚さ５０μｍのＰＥＴ層と、実施例１と同じ形態の光学機能層を図２と同じ向きで貼り付けた。
【００５５】
以上作製した実施例１、２及び比較例１の鏡を鉛直に用いて、天井照明から蛍光灯で５００ルクスの光を鏡に照射し、鏡の正面からの目視によりモアレの発生を確認した。蛍光灯照度は、鏡面に照度計（コニカミノルタ株式会社製  型番Ｔ−１）を配置し、鏡面に照射される照度を測定した。モアレの発生がなかった場合を○、発生した場合を×とした。表１に測定結果を示す。
【００５６】
【表１】
2017027000.tif 000003
【００５７】
実施例１、２及び比較例１の結果から、本発明の光学シートを備える鏡によれば、モアレの発生を防止することができることがわかる。
【符号の説明】
【００５８】
１、１’、１’’、１’’’                      鏡
１０、１０’、１００、１００’光学シート
１１                    基材層
１２、２２              光学機能層
１３                    反射層
１４                    光透過部
１５                    光吸収部
２５                    光拡散部
３０                    ガラス
【図１】
2017027000.tif 000004
【図２】
2017027000.tif 000005
【図３】
2017027000.tif 000006
【図４】
2017027000.tif 000007
【図５】
2017027000.tif 000008
【図６】
2017027000.tif 000009
【図７】
2017027000.tif 000010
【図８】
2017027000.tif 000011
【図９】
2017027000.tif 000012